(57)【要約】【課題】折込ちらしの丁合束を新聞に中入れした組紙を綺麗に揃えることができる丁合・中入れ装置を提供する。【解決手段】丁合・中入れ装置１００は、複数部重ねて投入された新聞Ｐを１部ずつ供給する新聞供給機構２０と、新聞供給機構２０により供給された新聞Ｐを開いて中入れ位置Ｎへ送る新聞開き機構３０と、数種類の折込ちらしｔを丁合して、その丁合束Ｔを中入れ位置Ｎに向けて排出し、新聞開き機構３０によって開かれた新聞Ｐに当該丁合束Ｔを挿入する丁合機構１０と、を有する。【選択図】図１
2018090354.tif 000002
【特許請求の範囲】
【請求項１】
複数部重ねて投入された新聞を１部ずつ供給する新聞供給機構と、
前記新聞供給機構により供給された新聞を開いて中入れ位置へ送る新聞開き機構と、
数種類のちらしを丁合して、その丁合束を前記中入れ位置に向けて排出し、前記新聞開き機構によって開かれた新聞に当該丁合束を挿入する丁合機構と、
を有する丁合・中入れ装置。
【請求項２】
前記新聞開き機構により開いた新聞を前記中入れ位置で一旦停止させる停止手段をさらに有する、
請求項１の丁合・中入れ装置。
【請求項３】
前記新聞開き機構が、前記中入れ位置へ送られる新聞の下側部分と上側部分を分離させて前記上側部分を乗せる分離部材を有し、
前記分離部材は、前記丁合機構の前記丁合束の排出口の上方に取り付けられている、
請求項１の丁合・中入れ装置。
【請求項４】
前記新聞に前記丁合束を挿入した組紙を搬送する搬送機構と、
前記搬送機構により搬送された前記組紙を揃えて集積する組紙揃え機構と、をさらに有する、
請求項１の丁合・中入れ装置。
【発明の詳細な説明】
【技術分野】
【０００１】
本発明は、例えば、折込ちらしを丁合し、丁合束を新聞に中入れする、丁合・中入れ装置に関する。
【背景技術】
【０００２】
従来、新聞の間に挟む折込ちらしを丁合する丁合機が知られている。丁合機は、例えば、複数種類の折込ちらしを投入する複数段の給紙トレイ、各給紙トレイから給紙された折込ちらしを重ねながら搬送する搬送パス、搬送パスの下流側に搬送パスを横切る姿勢で折り紙（折込ちらしの一種）を給紙する機構、折り紙を中央で２つ折りにする機構、搬送パスを介して搬送された複数枚の折込ちらしを２つ折りにされた折り紙の間に挟む機構、および複数枚の折込ちらしを折り紙の間に挟んだ丁合束を集積する集積部を有する。
【０００３】
集積部に集積された複数組の丁合束は、作業員による手作業によって作業台へ移動され、手作業により新聞に中入れされる。或いは、作業台へ移動された複数組の丁合束は、重ねた状態で中入れ機（インサーター）へ投入され、中入れ機を用いて新聞に折り込まれる。中入れ機は、例えば、新聞を開いて搬送する機構、複数組の丁合束を１組ずつ新聞の間に送り込む機構、および丁合束を中入れした新聞（以下、組紙と称する）を集積する集積部を有する。
【先行技術文献】
【特許文献】
【０００４】
【特許文献１】特開２０１４−９１６０４号公報
【発明の概要】
【発明が解決しようとする課題】
【０００５】
丁合束を手作業により新聞に中入れする場合、組紙の仕上がりを比較的綺麗に揃えることができる反面、作業員による作業負担が大きく手間がかかる。また、この場合、中入れ作業に多くの時間がかかるため作業効率が悪く、組紙の仕上がり具合にも個人差が出る。当然のことながら、この場合、丁合束を１組ずつ手作業により新聞に中入れするため、人件費がかかる。
【０００６】
一方、中入れ機を用いて丁合束を新聞に中入れする場合、作業効率が上がり処理が安定する反面、丁合束を中入れした後の組紙の仕上がり状態が綺麗に揃い難い。つまり、この場合、丁合束を作業台に一旦移動して中入れ機に投入するため、その間に丁合束の姿勢が崩れやすく、組紙の仕上がり状態が十分に満足のいくものが得られない。
【０００７】
本発明は、上記の点に鑑みてなされたもので、折込ちらしの丁合束を新聞に中入れした組紙を綺麗に揃えることができる丁合・中入れ装置を提供することを目的とする。
【課題を解決するための手段】
【０００８】
本発明の丁合・中入れ装置の一態様は、複数部重ねて投入された新聞を１部ずつ供給する新聞供給機構と、新聞供給機構により供給された新聞を開いて中入れ位置へ送る新聞開き機構と、数種類のちらしを丁合して、その丁合束を中入れ位置に向けて排出し、新聞開き機構によって開かれた新聞に当該丁合束を挿入する丁合機構と、を有する。
【発明の効果】
【０００９】
本発明によれば、折込ちらしの丁合束を新聞に中入れした組紙を綺麗に揃えることができる丁合・中入れ装置を提供できる。
【図面の簡単な説明】
【００１０】
【図１】図１は、実施形態に係る丁合・中入れ装置を示す外観斜視図である。
【図２】図２は、図１の丁合・中入れ装置の丁合機構を示す概略図である。
【図３】図３は、図２の丁合機構から排出される丁合束の一例を示す外観斜視図である。
【図４】図４は、図１の丁合・中入れ装置の新聞供給機構へ投入する新聞の姿勢を説明するための図である。
【図５】図５は、図１の丁合・中入れ装置の新聞開き機構の上流側の構造を示す斜視図である。
【図６】図６は、図５の新聞開き機構の上流側の構造を矢印ＶＩ方向から見た側面図である。
【図７】図７は、図１の丁合・中入れ装置の新聞開き機構の下流側の構造を示す斜視図である。
【図８】図８は、図１の丁合・中入れ装置の搬送機構を丁合・中入れモードの仕様に配置した概略斜視図である。
【図９】図９は、図１の丁合・中入れ装置の搬送機構を丁合モードの仕様に配置した概略斜視図である。
【図１０】図１０は、図８の搬送機構の搬送ベルトユニットを示す概略斜視図である。
【図１１】図１１は、図１の丁合・中入れ装置の丁合束揃え機構を示す概略斜視図である。
【図１２】図１２は、図１の丁合・中入れ装置の昇降機構および組紙揃え機構を左斜め前方から見た概略斜視図である。
【図１３】図１３は、図１２の構造を右斜め後方から見た概略斜視図である。
【発明を実施するための形態】
【００１１】
以下、本発明を実施するための形態について図面を参照して説明する。  
図１は、本発明の一実施形態に係る丁合・中入れ装置１００の外観を示す概略斜視図である。以下の説明では、丁合・中入れ装置１００における後述する丁合束Ｔの排出方向を前方とし、各図において、この方向をＹ方向として示す。また、各図において、丁合・中入れ装置１００を前方から見て左右方向をＸ方向とし、鉛直上下方向をＺ方向として示す。
【００１２】
丁合・中入れ装置１００は、丁合機構１０、新聞供給機構２０、新聞開き機構３０（図５−７）、搬送機構４０（図８−１０）、丁合束揃え機構５０（図１１）、昇降機構６０、および組紙揃え機構７０（図１２、１３）を有する。丁合・中入れ装置１００の各機構１０、２０、３０、４０、５０、６０、７０は、図示しない制御部によってその動作タイミングなどが制御される。
【００１３】
丁合・中入れ装置１００は、制御部によって、数種類の折込ちらしｔを重ねて折り紙ｓで挟んだ丁合束Ｔ（図３）を作成する丁合モード、予め用意した複数組の丁合束Ｔを１組ずつ取り出して新聞Ｐ（図４ｃ）に中入れする中入れモード、或いは、数種類の折込ちらしｔを重ねた丁合束Ｔを作成すると同時にこの丁合束Ｔを新聞Ｐに中入れする丁合・中入れモードで動作される。
【００１４】
丁合モードでは、制御部は、丁合機構１０、丁合束揃え機構５０、搬送機構４０、および昇降機構６０を動作させる。中入れモードおよび丁合・中入れモードでは、制御部は、丁合機構１０、新聞供給機構２０、新聞開き機構３０、搬送機構４０、昇降機構６０、および組紙揃え機構７０を動作させる。
【００１５】
図２は、丁合機構１０を示す概略図である。  
丁合機構１０は、Ｚ方向に長い略直方体形状の筐体１を有する。筐体１のＹ方向に沿った前面側（図示左側）および背面側（図示右側）には、Ｚ方向に並んだ複数段の給紙トレイ２が設けられている。各給紙トレイ２は、筐体１の内側に向けて下方に傾斜して取り付けられている。各給紙トレイ２には、数種類の折込ちらしｔが複数枚重ねて投入される。複数の給紙トレイ２を介して同じ種類の折込ちらしｔを投入することもできる。なお、筐体１の前方側の最下段にある給紙トレイ２ａは、折り紙ｓ（図３）を投入するための給紙トレイとして割り当てられている。折り紙ｓは、折込ちらしｔの一種であってもよい。
【００１６】
筐体１内には、筐体１の中心を通ってＺ方向に延びた搬送パス３が設けられている。搬送パス３は、前面側の複数段の給紙トレイ２と背面側の複数段の給紙トレイ２の間でＸＺ平面に沿って設けられている。つまり、各給紙トレイ２から所定のタイミングで取り出された折込ちらしｔが搬送パス３へ送り込まれて互いに重ねられる。そして、重なった状態の複数枚の折込ちらしｔが搬送パス３を介して下方へ搬送される。搬送パス３には、重なった状態の複数枚の折込ちらしｔを挟持して搬送するための複数組の搬送ローラ対４が設けられている。
【００１７】
各給紙トレイ２の傾斜方向の下端側、すなわち搬送パス３に近い中心寄りの端部には、それぞれ、第１給紙ローラ５および第２給紙ローラ６が設けられている。第１給紙ローラ５は、給紙トレイ２上に重ねて投入された複数枚の折込ちらしｔの最上端の折込ちらしｔに接触して回転する。第１給紙ローラ５より折込ちらしｔの取り出し方向の下流側に設けた第２給紙ローラ６は、捌き板７に２枚目以降の折込ちらしｔの先端を押し付けて２枚取りを防止する。折込ちらしｔの給紙方向に沿って第２給紙ローラ６の下流側には、搬送パス３へ折込ちらしｔを送り込む送りローラ対８が設けられている。
【００１８】
搬送パス３の下端には、折りローラ対９が配置されている。折りローラ対９は、そのニップが搬送パス３の延長線上に位置する姿勢で設けられている。つまり、搬送パス３を介して下方へ搬送された複数枚の折込ちらしｔが折りローラ対９のニップへ送り込まれるようになっている。
【００１９】
折り紙ｓを給紙するための給紙トレイ２ａの給紙方向の下流側（図示右側）には、給紙トレイ２ａを介して投入された折り紙ｓを折りローラ対９の上方へ送り込むための送りローラ対８ａが設けられている。折り紙ｓの給紙方向の先端には、折り紙ｓの先端を所定位置で係止する係止部１１が設けられている。係止部１１は、折り紙ｓの給紙方向の中央位置が折りローラ対９のニップに対向する位置で折り紙ｓを停止させる。折りローラ対９の斜め上方には、折りローラ対９のニップに向けて折り紙ｓの中央部を押し込むための折込ナイフ１２が配置されている。
【００２０】
つまり、各給紙トレイ２を介して投入された折込ちらしｔが搬送パス３で重ねられて折りローラ対９のニップへ送り込まれる。このとき、予め給紙された折り紙ｓの中央を折込ナイフ１２によって折り込んでおく。そして、重なった状態で搬送パス３を介して搬送された複数枚の折込ちらしｔが折り紙ｓの中央に押し込まれ、折りローラ対９の回転によって折り紙ｓの間に挟み込まれる。折りローラ対９を通過して２つ折りにされた折込ちらしの束、すなわち折り紙ｓの間に複数枚の折込ちらしｔを挟んだ丁合束Ｔは、搬送ベルト１３へ受け渡されて排出ローラ対１４を介して筐体１の前面側に設けた排出口１５から排出される。
【００２１】
図３は、丁合機構１０の排出口１５から排出された丁合束Ｔの一例を示す外観斜視図である。丁合束Ｔは、その排出方向（Ｙ方向）の先端Ｔ−１側を折り紙ｓによって覆われた状態でＹ方向に排出される。なお、本実施形態では、折り紙ｓの排出方向に沿った一端ｓ−１（排出方向から見た右端部）が複数枚の折込ちらしｔの端部ｔ−１と略揃った状態で丁合束Ｔを排出するように、折り紙ｓのＸ方向に沿った給紙位置を調整可能となっている。
【００２２】
図１に示すように、新聞供給機構２０は、複数部の新聞Ｐを積み重ねた状態で投入する投入部２１を有する。投入部２１には、Ｚ方向に積み重ねた状態の複数部の新聞Ｐの側面を支える複数本の支持柱２２が設けられている。新聞Ｐは、同じ向きに揃えて投入部２１へ重ねて投入される。つまり、新聞Ｐは、図４（ｃ）に示す姿勢で投入部２１の複数本の支持柱２２の内側へ投入される。
【００２３】
より具体的には、新聞は、図４（ａ）に示すようにＡ１サイズの新聞紙を複数枚重ねた状態から中央の破線で図示矢印のように２つ折りにし、さらに図４（ｂ）に示すようにＡ２サイズの２つ折りの複数枚の新聞紙を中央の破線で矢印のように２つ折りにした状態（４つ折りにした状態）のもの（略Ａ３サイズに折り畳んだ新聞）（図４ｃ）を複数部重ねた状態で投入部２１へ投入される。
【００２４】
新聞供給機構２０は、投入部２１にて積み重ねた複数部の新聞Ｐのうち最下端の新聞ＰのＹ方向の後端（折り目Ｐ−１側の端部）を図示しないクランプ爪によってつかんで１部ずつ引き抜き、図４（ｃ）の矢印Ｙ’で示す方向に取り出す。投入部２１から取り出された新聞Ｐは、折り目Ｐ−１を先頭にして鉛直下方に湾曲されて導かれ、そのまま１８０°反転されて、投入部２１の下方に配置された新聞開き機構３０へ送り込まれる。このため、新聞開き機構３０へ送り込まれた新聞Ｐは、図４（ｃ）と表裏反対の姿勢となり、上述した矢印Ｙ’方向がＹ方向に揃う。
【００２５】
また、新聞供給機構２０は、図５および図６に示すように、投入部２１から取り出された新聞Ｐを新聞開き機構３０に向けて案内する傾斜したガイド板２４を有する。ガイド板２４の表面には、新聞Ｐの折り目Ｐ−１を突き当てる３つのパッド２５が貼設されている。パッド２５は、新聞Ｐの折り目Ｐ−１を突き当てて衝撃を吸収し、ガイド板２４を磨滅から保護する役割を担う。このため、パッド２５は、新聞Ｐの衝突音を小さくすることのできる材質であることが望ましい。
【００２６】
図５および図６に示すように、新聞開き機構３０は、ガイド板２４を介して新聞供給機構２０から送り込まれた新聞Ｐを載置してＸ方向に搬送する搬送面３１を有する。搬送面３１は、ＸＹ平面に沿って設けられ、Ｙ方向に沿った略中央部にＸ方向に延びたスリット３１ａを有する。搬送面３１の下方には、送り爪３４をスリット３１ａに沿ってＸ方向に移動させるための図示しない移動機構が設けられている。送り爪３４は、スリット３１ａを介して搬送面３１の上方に突出している。
【００２７】
送り爪３４の移動機構は、送り爪３４を取り付けた図示しない無端ベルトをＸ方向に一定速度で走行させる。送り爪３４は、無端ベルトの走行方向に沿って所定間隔で複数本固設されており、搬送面３１上に送り込まれた新聞ＰのＸ方向の後端をＸ方向に押して新聞Ｐを中入れ位置Ｎに向けて搬送する。このため、新聞ＰのＸ方向への搬送ピッチは、無端ベルトに設けた複数の送り爪３４の間隔に相当する。
【００２８】
複数の送り爪３４は、それぞれ、搬送面３１から突出した状態で、新聞Ｐの後端を押す方向に向けて僅かに傾倒している。このため、各送り爪３４は、搬送面３１上の新聞Ｐの後端を押したとき、新聞Ｐの押圧部位をわずかに下方（すなわちスリット３１ａ内に向かう方向）に押し込む。これにより、新聞Ｐがこの押圧部位でわずかに下方に湾曲する力が働く。
【００２９】
また、ガイド板２４の傾斜方向の下端に対向して搬送面３１のＹ方向の一端近くには、搬送面３１上に送り込まれた新聞ＰのＸ方向に沿った一端側を持ち上げて図示の姿勢に湾曲させるための湾曲ブロック３６が設けられている。湾曲ブロック３６は、Ｘ方向に延設され、搬送面３１上に送り込まれた新聞Ｐの少なくとも送り方向（Ｘ方向）の後端側を湾曲させることができればいかなるものであってもよい。つまり、湾曲ブロック３６は、搬送面３１上に送り込まれる新聞ＰのＸ方向の全長より短い長さを有し、Ｘ方向の後端側に片寄った位置に設けられている。
【００３０】
しかして、搬送面３１上に送り込まれた新聞Ｐは、Ｙ方向の一端を湾曲ブロック３６の上に乗せた状態で自重により下方に湾曲する。この状態で、スリット３１ａから突出した送り爪３４が搬送面３１に沿ってＸ方向に移動し、新聞ＰのＸ方向の後端を押圧する。このとき、送り爪３４がＸ方向に傾倒していることから新聞Ｐを湾曲させるわずかな力が働く。この送り爪３４による押える力は、湾曲した新聞Ｐの湾曲状態を維持する力となる。新聞ＰがＹ方向に沿って湾曲すると、新聞ＰのＸ方向の剛性が高められて、送り爪３４によって後端を押圧した際の変形を抑制することができ、新聞Ｐを安定してＸ方向の下流側へ送ることができる。
【００３１】
また、新聞開き機構３０は、図７に示すように、送り爪３４（新聞Ｐ）の移動方向の下流側に隣接して、搬送面３１の上方に、２つの吸着パッド３７、３８を有する。２つの吸着パッド３７、３８は、それぞれ、パッド３７ａ、３８ａ、吸引管３７ｂ、３８ｂ、および固定ブロック３７ｃ、３８ｃを有する。吸引管３７ｂ（３８ｂ）の先端にパッド３７ａ（３８ａ）が取り付けられており、吸引管３７ｂ（３８ｂ）を介して図示しないポンプ等によりパッド３７ａ（３８ａ）を真空引きすることができるようになっている。吸引管３７ｂ（３８ｂ）の基端は、固定ブロック３７ｃ（３８ｃ）を介して、Ｙ方向に延設された回転軸３２に固設されている。
【００３２】
回転軸３２は、図７の矢印方向、すなわち丁合・中入れ装置１００を前方から見て反時計回り方向に回転する。２本の吸引管３７ｂ、３８ｂは、回転軸３２の回転方向に沿ってずれた位置関係で取り付けられている。つまり、吸着パッド３７が常に吸着パッド３８より少し先行して回転する角度で、固定ブロック３７ｃと固定ブロック３８ｃが互いに異なる角度で回転軸３２に固定されている。
【００３３】
２つの吸着パッド３７、３８は、搬送面３１に沿ってＸ方向に送られる新聞ＰのＹ方向に沿った後方側（折り目Ｐ−１と反対側）に片寄った位置に配置されている。より具体的には、一方の吸着パッド３８は、新聞Ｐの折り目Ｐ−１と反対側の端辺近くを吸着可能な位置に配置されており、もう一方の吸着パッド３７は、Ｙ方向に沿って吸着パッド３８の前方に並んで近接して配置されている。そして、回転軸３２の回転により、前方の吸着パッド３７が先に新聞Ｐを吸着し、その直後に後方の吸着パッド３８が新聞Ｐの端辺近くを吸着する。
【００３４】
吸着パッド３７、３８のＸ方向下流側には、少なくとも一方の吸着パッド３７、３８により吸着されて回転軸３２の回転によって少し持ち上げられた新聞Ｐの上側部分Ｐ１（図４ｃ）を乗せる分離パネル３９（分離部材）が配置されている。新聞Ｐは、折り目Ｐ−１がＹ方向の前方に配置され、折り目Ｐ−２がＸ方向の下流側に配置され、且つ下側部分Ｐ２（図４ｃで上側に見えている部分）が搬送面３１に対向する姿勢でＸ方向に移動される。このため、新聞Ｐの上側部分Ｐ１が吸着パッド３７、３８によって吸着されると、上側部分Ｐ１が下側部分Ｐ２から分離されて持ち上げられ、下側部分Ｐ２と上側部分Ｐ１の間に隙間ができる。
【００３５】
分離パネル３９は、搬送面３１に沿った新聞Ｐの下側部分Ｐ２に対して持ち上げられた上側部分Ｐ１の傾斜に合わせて傾斜されており、Ｘ方向の上流側の端部に２つの分離爪３９ａ、３９ｂを有する。２つの分離爪３９ａ、３９ｂは、分離パネル３９に対してわずかに下方に傾斜している。なお、分離パネル３９は、上述した丁合機構１０の排出口１５のわずかに上方で筐体１の前面に取り付けられており、Ｙ方向前方に向けて下方に傾斜している。
【００３６】
搬送機構４０は、図８に示す搬送位置と図９に示す退避位置との間で揺動可能に設けた送りベルトユニット４１、および図８に示す上昇位置と図９に示す下降位置との間で昇降移動可能に設けた搬送ベルトユニット４２をＸ方向に隣接して有する。図８に示す状態では、送りベルトユニット４１が搬送位置へ配置され、且つ搬送ベルトユニット４２が上昇位置へ配置され、中入れ位置Ｎで新聞Ｐの間に丁合束Ｔを挟んだ組紙Ｋ（図示せず）をＸ方向に搬送可能な状態となっている。一方、図９に示す状態では、送りベルトユニット４１が退避位置へ配置され、且つ搬送ベルトユニット４２が下降位置へ配置され、丁合機構１０から排出された丁合束Ｔを揃えてＸ方向に搬送可能な状態となっている。つまり、搬送機構４０は、中入れモードおよび丁合・中入れモードのときには図８に示す状態に配置され、丁合モードのときには図９に示す状態に配置される。
【００３７】
送りベルトユニット４１は、Ｙ方向に離間して並んだ４本の無端状の送りベルト４３ａ、４３ｂ、４３ｃ、４３ｄ（以下、総称して送りベルト４３とする場合もある）を有する。各送りベルト４３は、Ｘ方向上流側の大径プーリ４３−１とＸ方向下流側の小径プーリ４３−２に掛け回されて張設されている。４つの大径プーリ４３−１はＹ方向に延設された回動軸に対して同軸に配置され、４つの小径プーリ４３−２もＹ方向に同軸に配置されている。よって、４つの大径プーリ４３−１を回動させることで、送りベルトユニット４１を図９に示す退避位置へ揺動させることができる。また、４本の送りベルト４３は、大径プーリ４３−１と同軸に設けたモータ３５によって所定方向に走行される。送りベルト４３の走行速度は、送り爪３４の移動速度よりわずかに速くされている。
【００３８】
搬送ベルトユニット４２は、図１０に示すように、Ｙ方向に延設された駆動ローラ４４ａ、駆動ローラ４４ａに対してＸ方向に離間して配置されＹ方向に延設された従動ローラ４４ｂ、駆動ローラ４４ａおよび従動ローラ４４ｂのＹ方向の両端を回転可能に支持したフレーム４４ｃ、および駆動ローラ４４ａおよび従動ローラ４４ｂに巻回されて張設された無端状の平ベルト４４ｄを有する。
【００３９】
また、搬送ベルトユニット４２は、平ベルト４４ｄを走行させるための図示しないモータやタイミングベルトなどの駆動機構４５をフレーム４４ｃに固設して有する。つまり、駆動機構４５は、搬送ベルトユニット４２とともに昇降移動する。なお、フレーム４４ｃのＸ方向の両端には、搬送ベルトユニット４２を図９に示す下降位置へ配置したとき、基台４６の切欠き部４６ａ（図１１参照）に係合して固定するためのフック４７がそれぞれ設けられている。
【００４０】
また、搬送機構４０は、アクチュエータ４８によって搬送面から突没可能に動作させることができる係止バー４９（停止手段）を有する。この係止バー４９は、搬送ベルトユニット４２を上昇位置に配置した状態（中入れモード或いは丁合・中入れモード）で動作する。係止バー４９は、平ベルト４４ｄのＹ方向の前方端から外れた位置に設けられており、平ベルト４４ｄ上に載った新聞ＰのＸ方向の下流側端部を係止して新聞Ｐを中入れ位置Ｎで一旦停止させるよう機能する。つまり、丁合機構１０の排出口１５から排出された丁合束Ｔが、中入れ位置Ｎで一旦停止した状態の新聞Ｐの間に送り込まれるようになっている。
【００４１】
丁合束揃え機構５０は、図１１に示すように、Ｘ方向叩き板５１およびＹ方向叩き板５２を有する。これら２枚の叩き板５１、５２は、搬送ベルトユニット４２を図示の下降位置に配置した丁合モード時にのみ動作可能となる。つまり、搬送ベルトユニット４２を下降位置に配置した状態で、Ｘ方向叩き板５１は、搬送ベルトユニット４２上に排出される丁合束ＴのＸ方向の上流側の端辺に対向する状態となり、Ｙ方向叩き板５２は、搬送ベルトユニット４２上に排出される丁合束ＴのＹ方向の上流側の端辺に対向する状態となる。これら２枚の叩き板５１、５２は、図示しないリンク機構を介してモータ５３に接続されており、Ｘ方向叩き板５１はＸ方向に振動し、Ｙ方向叩き板５２はＹ方向に振動する。
【００４２】
Ｘ方向叩き板５１は、上述した搬送機構４０の送りベルト４３ａ、４３ｂ、４３ｃ、４３ｄをそれぞれ入れ子状態にして収容可能な切欠き５１ａ、５１ｄおよびスリット５１ｂ、５１ｃを有する。具体的には、４つの送りベルト４３を搬送位置へ配置した状態（図８の状態）で、送りベルト４３ａがＸ方向叩き板５１の切欠き５１ａ内に配置され、送りベルト４３ｂがスリット５１ｂ内に配置され、送りベルト４３ｃがスリット５１ｃ内に配置され、送りベルト４３ｄが切欠き５１ｄ内に配置される。
【００４３】
また、丁合束揃え機構５０は、図９に示すＸ方向対向板５４を有する。Ｘ方向対向板５４は、Ｙ方向の前方から搬送ベルトユニット４２の平ベルト４４ｄ上に突出した動作位置と平ベルト４４ｄの上方から退避した退避位置との間で揺動可能に設けられている。また、Ｘ方向対向板５４を設けた側壁５５は、Ｙ方向叩き板５２に対向したＹ方向対向板として機能する。Ｘ方向対向板５４は、搬送ベルトユニット４２を下降位置へ配置した後、平ベルト４４ｄ上に配置され、Ｘ方向叩き板５１と協働して複数組の丁合束Ｔを揃える。
【００４４】
図１２および図１３に示すように、昇降機構６０は、ＸＹ平面に沿って水平に延設された受トレイ６１、受トレイ６１をＺ方向に沿って昇降移動可能に支持したレール６２、および受トレイ６１をレール６２に沿って上下に移動させるモータ６３を有する。受トレイ６１は、Ｙ方向のリア側に設けたスライダ６４を介してレール６２に取り付けられている。モータ６３の回転軸には図示しないプーリが取り付けられており、レール６２の上端に設けたプーリ６５との間に無端状のタイミングベルト６６が架け渡されている。そして、タイミングベルト６６の途中にスライダ６４が固設されている。
【００４５】
しかして、モータ６３を回転させると、タイミングベルト６６が走行し、スライダ６４がレール６２に沿って上下に移動する。これにより、スライダ６４に固設した受トレイ６１が昇降移動する。受トレイ６１は、例えば、丁合モード時に搬送ベルトユニット４２を介して搬送される複数組の丁合束Ｔを受ける高さ位置、および、中入れモードおよび丁合・中入れモード時に搬送ベルトユニット４２を介して搬送される組紙Ｋを一部ずつ受ける高さ位置に配置される。
【００４６】
受トレイ６１は、丁合束Ｔや組紙Ｋを載置する面に一部が露出した複数の球体６１ａを備えている。これら複数の球体６１ａは、受トレイ６１へ送り込まれる丁合束Ｔや組紙Ｋの下端面をＸ方向に案内するよう回転するとともに、受トレイ６１上の丁合束Ｔや組紙ＫをＹ方向に排出する際にＹ方向に回転する。受トレイ６１は、所定数の丁合束Ｔや組紙Ｋを集積した後、排出位置まで上昇し、Ｙ方向の前方に待機している図示しない移載部へ丁合束Ｔや組紙Ｋを受け渡す。
【００４７】
組紙揃え機構７０は、図１２に示すように、Ｘ方向叩き板７１、およびＹ方向叩き板７２、７３を有する。各叩き板７１、７２、７３は、それぞれ、アクチュエータ７４、７５、７６（図１３）により動作される。各叩き板７１、７２、７３は、上述した昇降機構６０の受トレイ６１が組紙Ｋを受ける高さ位置に配置された状態で、受トレイ６１上の組紙ＫのＸ方向の一端およびＹ方向の一端を叩くことが可能な高さ位置に配置されている。つまり、組紙揃え機構７０は、中入れモードおよび丁合・中入れモードで動作し、丁合モードでは動作しない。
【００４８】
次に、上述した丁合・中入れ装置１００による丁合モード時の動作について説明する。  
動作に先だち、オペレータは、搬送機構４０の送りベルトユニット４１を図９に示す退避位置へ配置し、搬送ベルトユニット４２を図９に示す下降位置へ配置する。同時に、Ｘ方向対向板５４を平ベルト４４ｄ上の動作位置へ配置する。また、このとき、オペレータは、丁合機構１０の筐体１の前方にある排出口１５から平ベルト４４ｄに向けて送り込まれる丁合束Ｔを上方から押さえる図示しない押え部材を取り付ける。
【００４９】
そして、オペレータが、丁合機構１０の各給紙トレイ２、２ａに折込ちらしｔを投入して、筐体１に設けた操作入力パネル１ａ（図１）を介して丁合モードによる処理コマンドを入力すると、所定の給紙トレイ２から折込ちらしｔが１枚ずつ搬送パス３へ給紙されて重ねられ、重ねられた複数枚の折込ちらしｔが搬送パス３を介して下方へ搬送され、複数枚の折込ちらしｔが折り紙に挟み込まれた丁合束Ｔが排出口１５から排出される。
【００５０】
このとき、丁合束揃え機構５０が動作され、平ベルト４４ｄ上に重ねて集積される丁合束Ｔの端辺が揃えられる。つまり、平ベルト４４ｄ上に集積される丁合束ＴのＸ方向の一端をＸ方向叩き板５１によって叩き、Ｘ方向対向板５４との間で丁合束Ｔを揃える。また、丁合束ＴのＹ方向の一端をＹ方向叩き板５２によって叩き、側壁５５との間で丁合束Ｔを揃える。
【００５１】
所定数の丁合束Ｔが排出口１５から排出されて、平ベルト４４ｄ上で丁合束Ｔを積重ねながら端辺を揃えると、丁合機構１０の動作が停止されて、搬送ベルトユニット４２が動作され、平ベルト４４ｄがＸ方向に走行される。これにより、端辺を揃えた複数組の丁合束Ｔが昇降機構６０の受トレイ６１上へ移載される。このとき、複数組の丁合束Ｔがその集積方向と異なるＸ方向に水平移動されるため、丁合束Ｔの姿勢が崩れにくい。
【００５２】
受トレイ６１上に所定数の丁合束Ｔが移載されると、受トレイ６１が上昇され、図示しない移載機構によって受トレイ６１上の丁合束ＴがＹ方向前方の図示しない移載部へ移載される。移載部へ移載された丁合束Ｔは、オペレータによって所定の作業台へ移動される。
【００５３】
次に、上述した丁合・中入れ装置１００による丁合・中入れモード時の動作について説明する。なお、中入れモード時の動作は、折込ちらしの丁合動作が無いだけで丁合・中入れモードと同じであるため、ここではその説明を省略する。
【００５４】
丁合・中入れモードにおける動作に先だち、オペレータは、搬送機構４０の送りベルトユニット４１を図８に示す搬送位置へ配置し、搬送ベルトユニット４２を図８に示す上昇位置へ配置する。送りベルトユニット４１を搬送位置へ配置すると、送りベルト４３が丁合束揃え機構５０のＸ方向叩き板５１と入れ子状に配置され、送りベルト４３の上面と平ベルト４４ｄの上面が略面一に揃う。
【００５５】
そして、オペレータが、丁合機構１０の各給紙トレイ２、２ａに折込ちらしｔを投入して、新聞供給機構２０の投入部２１へ複数部の新聞Ｐを投入し、筐体１に設けた操作入力パネル１ａ（図１）を介して丁合・中入れモードによる処理コマンドを入力すると、新聞Ｐが１部ずつ取り出されて、上述した丁合モードのときと同様に丁合束Ｔが排出口１５から排出される。このとき、新聞Ｐを中入れ位置Ｎへ送り込むタイミングと丁合束Ｔを中入れ位置Ｎに向けて排出するタイミングが合うように、新聞Ｐの処理速度や取り出しタイミングが調整してある。
【００５６】
新聞供給機構２０によって新聞Ｐが新聞開き機構３０に送り込まれると、当該新聞Ｐが搬送面３１上に載置されて上述した湾曲ブロック３６および送り爪３４の作用により湾曲される。そして、湾曲された新聞ＰのＸ方向の後端が送り爪３４によって押されて、平ベルト４４ｄ上の中入れ位置Ｎに向けて当該新聞Ｐが搬送され、当該新聞Ｐの搬送方向の下流側端部が係止バー４９によって係止される。係止バー４９は、一定の時間間隔でごく短い時間だけ搬送面から突出し、全ての新聞Ｐを中入れ位置Ｎに一旦停止させる。
【００５７】
送り爪３４によって中入れ位置Ｎに向けて新聞Ｐが送り込まれるとき、新聞開き機構３０の２つの吸着パッド３７、３８が当該新聞Ｐの上側部分Ｐ１を吸着し、下側部分Ｐ２から離間させて開く。このとき、分離パネル３９の上に載置された上側部分Ｐ１と搬送面３１に接触している下側部分Ｐ２との間の隙間に、丁合機構１０の排出口１５を介して丁合束Ｔが送り込まれる。言い換えると、上側部分Ｐ１と下側部分Ｐ２が開かれて中入れ位置Ｎで一旦停止されたタイミングで、排出口１５から丁合束Ｔが排出されて新聞Ｐの隙間に挿入される。
【００５８】
丁合束Ｔが新聞Ｐに中入れされると、係止バー４９が搬送面の下に没入し、搬送ベルトユニット４２の平ベルト４４ｄが走行され、当該組紙Ｋが昇降機構６０へ搬送される。このとき、受トレイ６１は、平ベルト４４ｄの上面と略同じ高さ位置で待機しており、組紙Ｋが送り込まれる度に下降される。また、このとき、組紙揃え機構７０が動作されて下降する受トレイ６１上に送り込まれる組紙Ｋの端辺が揃えられる。
【００５９】
所定数の組紙Ｋが昇降機構６０へ送り込まれて、受トレイ６１上で複数部の組紙Ｋの端辺が揃えられると、上流側の各機構の動作が停止されて、受トレイ６１が上昇され、図示しない移載機構によって受トレイ６１上の複数部の組紙ＫがＹ方向前方の図示しない移載部へ移載される。移載部へ移載された複数部の組紙Ｋは、オペレータによって所定の作業台へ移動される。
【００６０】
以上のように、本実施形態の丁合・中入れ装置１００によると、丁合モードおよび中入れモードに加えて丁合・中入れモードによる動作が可能となる。丁合・中入れモードでは、新聞Ｐを開いて中入れ位置Ｎへ搬送すると同時に、丁合束Ｔを作成して中入れ位置Ｎに向けて排出するようにしたため、折込ちらしの丁合と同時に新聞Ｐへの中入れが可能となり、組紙Ｋを綺麗に揃えることができる。このため、例えば、折り紙ｓを用いずに複数枚の折込ちらしｔを重ねただけの丁合束Ｔを新聞Ｐに中入れすることもできる。
【００６１】
本実施形態によると、オペレータによる作業負担を軽減でき、処理効率を高めることができる。さらに、本実施形態によると、オペレータによる作業にかかる人件費を抑えることができる。  
なお、本発明は、上述した実施形態に限定されるものではなく、発明の範囲を超えることなく任意に変更可能である。上述した実施形態では、新聞Ｐの間に丁合束Ｔを中入れする場合について説明したが、例えば、雑誌や本の間や通帳などの冊子の間にカードや紙片を挿入する装置に本発明を適用してもよい。
【符号の説明】
【００６２】
１…筐体、  ２、２ａ…給紙トレイ、  ３…搬送パス、  ９…折りローラ対、  １０…丁合機構、  １５…排出口、  ２０…新聞供給機構、  ２１…投入部、  ３０…新聞開き機構、  ３１…搬送面、  ３１ａ…スリット、  ３４…送り爪、  ３６…湾曲ブロック、  ３７、３８…吸着パッド、  ３９…分離パネル、  ４０…搬送機構、  ４１…送りベルトユニット、  ４２…搬送ベルトユニット、  ４４ｄ…平ベルト、  ５０…丁合束揃え機構、  ６０…昇降機構、  ６１…受トレイ、  ７０…組紙揃え機構、  １００…丁合・中入れ装置、  Ｋ…組紙、  Ｎ…中入れ位置、  Ｐ…新聞、  Ｐ−１、Ｐ−２…折り目、  ｓ…折り紙、  ｔ…折込ちらし、  Ｔ…丁合束。
【図１】
2018090354.tif 000003
【図２】
2018090354.tif 000004
【図３】
2018090354.tif 000005
【図４】
2018090354.tif 000006
【図５】
2018090354.tif 000007
【図６】
2018090354.tif 000008
【図７】
2018090354.tif 000009
【図８】
2018090354.tif 000010
【図９】
2018090354.tif 000011
【図１０】
2018090354.tif 000012
【図１１】
2018090354.tif 000013
【図１２】
2018090354.tif 000014
【図１３】
2018090354.tif 000015
【手続補正書】
【提出日】平成29年12月19日(2017.12.19)
【手続補正１】
【補正対象書類名】特許請求の範囲
【補正対象項目名】全文
【補正方法】変更
【補正の内容】
【特許請求の範囲】
【請求項１】
複数部重ねて投入された新聞を１部ずつ供給する新聞供給機構と、
前記新聞供給機構により供給された新聞を開いて中入れ位置へ送る新聞開き機構と、
数種類のちらしを投入する複数の給紙トレイ、および前記給紙トレイから給紙されて重ねられたちらしを折り紙の間に挟み込む挟み機構を有し、前記複数の給紙トレイから給紙された複数枚のちらしを前記挟み機構にて前記折り紙の間に挟んだ丁合束を前記中入れ位置に向けて排出し、前記新聞開き機構によって開かれた新聞に当該丁合束を挿入する丁合機構と、
を有する丁合・中入れ装置。
【請求項２】
前記新聞開き機構により開いた新聞を前記中入れ位置で一旦停止させる停止手段をさらに有する、
請求項１の丁合・中入れ装置。
【請求項３】
前記新聞開き機構が、前記中入れ位置へ送られる新聞の下側部分と上側部分を分離させて前記上側部分を乗せる分離部材を有し、
前記分離部材は、前記丁合機構の前記丁合束の排出口の上方に取り付けられている、
請求項１の丁合・中入れ装置。
【請求項４】
前記新聞に前記丁合束を挿入した組紙を搬送する搬送機構と、
前記搬送機構により搬送された前記組紙を揃えて集積する組紙揃え機構と、をさらに有する、
請求項１の丁合・中入れ装置。
【請求項５】
前記丁合束を作成する丁合モード、予め用意した前記丁合束を前記新聞に中入れする中入れモード、或いは、前記丁合束を作成するとともにこの丁合束を新聞に中入れする丁合・中入れモードで丁合・中入れ装置を動作させる制御部をさらに有する、
請求項１の丁合・中入れ装置。
【手続補正２】
【補正対象書類名】明細書
【補正対象項目名】０００８
【補正方法】変更
【補正の内容】
【０００８】
本発明の丁合・中入れ装置の一態様は、複数部重ねて投入された新聞を１部ずつ供給する新聞供給機構と、新聞供給機構により供給された新聞を開いて中入れ位置へ送る新聞開き機構と、数種類のちらしを投入する複数の給紙トレイ、および給紙トレイから給紙されて重ねられたちらしを折り紙の間に挟み込む挟み機構を有し、複数の給紙トレイから給紙された複数枚のちらしを挟み機構にて折り紙の間に挟んだ丁合束を中入れ位置に向けて排出し、新聞開き機構によって開かれた新聞に当該丁合束を挿入する丁合機構と、を有する。
【手続補正３】
【補正対象書類名】明細書
【補正対象項目名】００６１
【補正方法】変更
【補正の内容】
【００６１】
本実施形態によると、オペレータによる作業負担を軽減でき、処理効率を高めることができる。さらに、本実施形態によると、オペレータによる作業にかかる人件費を抑えることができる。  
なお、本発明は、上述した実施形態に限定されるものではなく、発明の範囲を超えることなく任意に変更可能である。上述した実施形態では、新聞Ｐの間に丁合束Ｔを中入れする場合について説明したが、例えば、雑誌や本の間や通帳などの冊子の間にカードや紙片を挿入する装置に本発明を適用してもよい。
以下、本願の出願当初の特許請求の範囲に記載された発明を付記する。
［１］
複数部重ねて投入された新聞を１部ずつ供給する新聞供給機構と、
前記新聞供給機構により供給された新聞を開いて中入れ位置へ送る新聞開き機構と、
数種類のちらしを丁合して、その丁合束を前記中入れ位置に向けて排出し、前記新聞開き機構によって開かれた新聞に当該丁合束を挿入する丁合機構と、
を有する丁合・中入れ装置。
［２］
前記新聞開き機構により開いた新聞を前記中入れ位置で一旦停止させる停止手段をさらに有する、
［１］の丁合・中入れ装置。
［３］
前記新聞開き機構が、前記中入れ位置へ送られる新聞の下側部分と上側部分を分離させて前記上側部分を乗せる分離部材を有し、
前記分離部材は、前記丁合機構の前記丁合束の排出口の上方に取り付けられている、
［１］の丁合・中入れ装置。
［４］
前記新聞に前記丁合束を挿入した組紙を搬送する搬送機構と、
前記搬送機構により搬送された前記組紙を揃えて集積する組紙揃え機構と、をさらに有する、
［１］の丁合・中入れ装置。